(57)【要約】      （修正有）【課題】メガネ、携帯電話機およびデジタルカメラなどの物品に付着した汚れを拭き取ることができる物品収納ケースを提供する。【解決手段】物品収納ケース１００は、ケース本体１１０とリード１２０とで構成されている。ケース本体１１０は、外皮材１１１の中にクッション材を包み込んで縫合することによりイヌの外観を模した立体形状で構成されている。ケース本体１１０の内部には、ケース本体１１０の外表面に開口した状態で物品収納部１１３が形成されている。物品収納部１１３は、メガネＧを収納する部分であり、イヌ型に成形されたケース本体１１０におけるイヌの口部分からケース本体１１０の内部に掛けて袋状に形成されている。この物品収納部１１３を構成する内皮材は、メガネＧに損傷を与えない柔軟で柔らかい素材で構成されているとともに、ケース本体１１０の外側に引き出すことができるように構成されている。【選択図】図３
0003164314.tif 000002
【実用新案登録請求の範囲】
【請求項１】
弾力性のあるクッション材をシート状の外皮材で包んで周囲を縫合したケース本体と、
前記ケース本体の外表面に開口して同ケース本体の内部に形成された物品収納部とを備えた物品収納ケースであって、
前記物品収納部の内側面を形成する内皮材が前記物品収納部に収納される物品に損傷を与えない素材で構成されるとともに、前記ケース本体における内側と外側とを出し入れ可能に形成されていることを特徴とする物品収納ケース。
【請求項２】
請求項１に記載した物品収納ケースにおいて、
前記外皮材は、布素材、革素材または樹脂素材で構成されており、
前記内皮材は、前記外皮材より柔らかい布素材、革素材または樹脂素材で構成されていることを特徴とする物品収納ケース。
【請求項３】
請求項１または請求項２に記載した物品収納ケースにおいて、さらに、
前記ケース本体は、同ケース本体を他の物品に支持させるための連結体を備えることを特徴とする物品収納ケース。
【請求項４】
請求項１ないし請求項３のうちのいずれか１つに記載した物品収納ケースにおいて、
前記ケース本体は、動物、植物、キャラクタ、建造物、構造物、美術品または食品の外観を模した形状に形成されていることを特徴とする物品収納ケース。
【請求項５】
請求項４に記載した物品収納ケースにおいて、
前記ケース本体は、動物またはキャラクタの外観を模した形状に形成されており、
前記物品収納部の開口は、前記動物またはキャラクタの口部分に形成されていることを特徴とする物品収納ケース。
【考案の詳細な説明】
【技術分野】
【０００１】
本考案は、主として、メガネ、携帯電話およびデジタルカメラなどの小物物品を収納または携帯する際に用いる物品収納ケースに関する。
【背景技術】
【０００２】
従来から、メガネ、携帯電話機およびデジタルカメラなどの小物物品を非使用時に収納するための物品収納ケースがある。例えば、下記特許文献１には、開閉自在な堅牢な箱型に形成されたメガネケースが開示されている。また、下記特許文献２には、カメラ本体を覆う形状に形成された革製のカメラケースが開示されている。
【０００３】
また、近年においては、物品収納ケースのデザイン性を重視して動物の外観を模したぬいぐるみ型の物品収納ケースも提案されている。例えば、下記特許文献３には、ワニの外観を模した形状のメガネケースが開示されている。また、下記特許文４には、クマの外観を模した形状の小物入れが開示されている。
【先行技術文献】
【特許文献】
【０００４】
【特許文献１】特開２００４−１２９８１８号公報
【特許文献２】特開２００６−２９６７７８号公報
【特許文献３】実用新案登録第３１３２２０３号公報
【特許文献４】実用新案登録第３１１６０７１号公報
【０００５】
一般に、これらのような物品収納ケースは、収納対象となる各物品を保管するためのものであるため、各物品を収納する以外の機能を有することは稀である。一方、これらの物品の使用に際しては、使用者の手に触れられることにより指紋や手垢などの汚れが付着することがある。この場合、使用者は、物品に付着した汚れをハンカチなどの布やティッシュなどの紙を用いて拭き取った上で物品収納ケースに収納する。
【０００６】
しかしながら、このような拭き取り作業は、ハンカチやティッシュなどを持参していない場合には行うことができないとともに、持参している場合であってもこれらをバッグなどの中から取り出す手間が煩雑であるという問題がある。また、身体に使用するためのハンカチをこれらの物品の汚れを除去するために使用することに少なからず抵抗感を感じることもある。
【０００７】
本考案は上記問題に対処するためなされたもので、その目的は、メガネ、携帯電話機およびデジタルカメラなどの物品に付着した汚れを拭き取ることができる物品収納ケースを提供することにある。
【考案の概要】
【０００８】
上記目的を達成するため、請求項１に係る本考案の特徴は、弾力性のあるクッション材をシート状の外皮材で包んで周囲を縫合したケース本体と、ケース本体の外表面に開口して同ケース本体の内部に形成された物品収納部とを備えた物品収納ケースであって、物品収納部の内側面を形成する内皮材が物品収納部に収納される物品に損傷を与えない素材で構成されるとともに、ケース本体における内側と外側とを出し入れ可能に形成されていることにある。
【０００９】
このように構成した請求項１に係る本考案の特徴によれば、物品収納ケースは、小物類などの物品を収納する物品収納部の内皮材がケース本体の内側と外側とを出し入れ自在に形成されている。このため、物品収納ケースの使用者は、物品収納ケースの物品収納部を構成する内皮材を外側に引き出すことにより、同引き出した内皮材で物品に付着した汚れを払拭することができる。
【００１０】
また、請求項２に係る本考案の他の特徴は、前記物品収納ケースにおいて、外皮材は、布素材、革素材または樹脂素材で構成されており、内皮材は、外皮材より柔らかい布素材、革素材または樹脂素材で構成されていることにある。
【００１１】
このように構成した請求項２に係る本考案の他の特徴によれば、物品収納ケースは、物品収納部を形成する内皮材が、外皮材より柔らかい布素材、革素材または樹脂素材で構成されている。これにより、物品収納ケースにおける外表面を構成する外皮材を擦り傷や擦れに強い損傷し難い素材で構成するとともに物品収納部を構成する内皮材を外皮材より柔らかい素材で構成することにより、物品収納ケースの耐久性を向上させつつ収納体対象物品に損傷を与え難い状態で収納することができる。例えば、物品収納ケースの外表面を構成する外皮材に耐候性や耐水性に優れた樹脂シートで構成するとともに、物品収納部を構成する内皮材をメガネのレンズ拭きに用いられる極細繊維布で構成するとよい。
【００１２】
また、請求項３に係る本考案の他の特徴は、前記物品収納ケースにおいて、さらに、ケース本体は、同ケース本体を他の物品に支持させるための連結体を備えることにある。
【００１３】
このように構成した請求項３に係る本考案の他の特徴によれば、物品収納ケースは、ケース本体に同ケース本体を他の物品に支持させるための連結体を備えている。これによれば、物品収納ケースの使用者は、物品収納ケースを鞄やポシェットなどのバッグ類に吊り下げた状態で携帯することができるとともに、手軽に物品収納ケースに収納対象物品を出し入れすることができる。
【００１４】
また、請求項４に係る本考案の他の特徴は、前記物品収納ケースにおいて、ケース本体は、動物、植物、キャラクタ、建造物、構造物、美術品または食品の外観を模した形状に形成されていることにある。
【００１５】  このように構成した請求項４に係る本考案の他の特徴によれば、物品収納ケースを構成するケース本体は、動物、植物、キャラクタ、建造物、構造物または美術品の外観を模した形状に形成されている。この場合、動物としては、愛玩動物（イヌ、ネコ、小鳥、ねずみなど）、干支、各種野生動物（ライオン、カバ、キリン、コアラ、ラッコ、イルカ、クジラ、カメなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、植物としては、花（ヒマワリ、チューリップなど）や木（ヤシ、竹、スギなど）などが考えられる。また、キャラクタとしては、アニメ、童話、昔話などの主人公、および擬人化した動植物（例えば、（公序良俗違反につき、不掲載）など）などが考えられる。また、建造物としては、橋、鉄塔（例えば、東京タワー）、ビルおよび寺社仏閣などが考えられる。また、構造物としては、車両（二輪車、四輪乗用車、消防車などの各種作業車など）、列車（例えば、新幹線や蒸気機関車）、船舶および飛行機などが考えられる。また、美術品としては、仏像およびモニュメントなどが考えられる。また、食品としては、ハンバーガー、フランクフルトソーセージおよびサンドイッチなどが考えられる。この場合、ケース本体は、これらを単体でまたは組み合わせたデザインで構成することができる。これらにより、物品収納ケースの使用者は、物品収納ケースのデザイン性に対して高い満足感を得ることができる。
【００１６】
また、請求項５に係る本考案の他の特徴は、前記物品収納ケースにおいて、ケース本体は、動物またはキャラクタの外観を模した形状に形成されており、物品収納部の開口は、動物またはキャラクタの口部分に形成されていることにある。
【００１７】
このように構成した請求項５に係る本考案の他の特徴によれば、物品収納ケースは動物またはキャラクタの外観を模して形成されるとともに、同動物またはキャラクタの口部分に物品収納部が開口して形成されている。これにより、物品収納部をケース本体に対して違和感なく自然な配置で構成することができ、物品収納ケースのデザイン性を向上させることができる。
【図面の簡単な説明】
【００１８】
【図１】本考案の一実施形態に係る物品収納ケースの外観構成を概略的に示す斜視図である。
【図２】図１に示す物品収納ケースの内部構造を模式的に示す横断面図である。
【図３】図１に示す物品収納ケースにメガネを挿入する状態を示す斜視図である。
【図４】図１に示す物品収納ケースにおいてケース本体内から物品収納部を構成する内皮材を引き出した状態を示す斜視図である。
【図５】図１に示す物品収納ケースにメガネを収納してバッグから吊り下げた使用状態を示す斜視図である。
【考案を実施するための形態】
【００１９】
以下、本考案に係る物品収納ケースの一実施形態について図面を参照しながら説明する。図１は、本考案に係る物品収納ケース１００の外観構成を概略的に示す斜視図である。また、図２は、図１に示す物品収納ケース１００の内部構造を模式的に示す横断面図である。なお、本明細書において参照する各図は、本考案の理解を容易にするために一部の構成要素を誇張して表わすなど模式的に表している。このため、各構成要素間の寸法や比率などは異なっていることがある。本実施形態に係る物品収納ケース１００は、主としてメガネや携帯電話機などの物品を収納した状態で携帯可能な入れ物である。
【００２０】
（物品収納ケース１００の構成）
物品収納ケース１００は、主として、ケース本体１１０と、リード１２０とで構成されている。ケース本体１１０は、外皮材１１１の中にクッション材１１２を包み込んで縫合することによりイヌの外観を模した立体形状で構成されている。換言すれば、ケース本体１１０は、所謂イヌのぬいぐるみである。外皮材１１１は、ケース本体１１０の外側表面を構成するシート状の部材である。本実施形態においては、外皮材１１１は、毛皮状素材、例えば、ファー、ボア、パイル、モヘアまたはシールなどで構成されている。
【００２１】
外皮材１１１で包み込まれるクッション材１１２は、図２に示すように、弾力性のあるポリエステル製の綿素材で構成されている。このクッション材１１２は、イヌ型に成形されたケース本体１１０内において、イヌの口部分から尾の前方部分に掛けて図示上下方向に別れて構成されている。なお、クッション材は、弾力性のある素材で構成されていればよく、ポリエステル製の綿素材以外の素材、例えば、スポンジ、ウレタン、低反発素材、樹脂製ビーズなどで構成することもできる。
【００２２】
このケース本体１１０の内部には、ケース本体１１０の外表面に開口した状態で物品収納部１１３が形成されている。物品収納部１１３は、図３に示すように、物品収納ケース１００に収納される収納対象物品であるメガネＧを収納する部分であり、イヌ型に成形されたケース本体１１０におけるイヌの口部分からケース本体１１０の内部に掛けてメガネＧを収納可能な形状および大きさの袋状に形成されている。この物品収納部１１３を構成する内皮材１１４は、メガネＧに損傷を与えない柔軟で柔らかい素材で構成されている。本実施形態においては、内皮材１１４は、ポリエステル製の超極細繊維で形成された布素材で構成されている。
【００２３】
また、この物品収納部１１３を構成する内皮材１１４は、図４に示すように、ケース本体１１０の外側に引き出すことができるように構成されている。すなわち、物品収納部１１３を構成する内皮材１１４は、ケース本体１１０を構成する外皮材１１１とイヌの口部分で縫合されている一方で、内皮材１１４で形成された袋部分がケース本体１１０の内部において外皮材１１１およびクッション材１１２に固定されていない非固定状態で配置されている。これにより、内皮材１１４は、ケース本体１１０における内側と外側とを出し入れ可能に構成されている。
【００２４】
ケース本体１１０の外表面には、リード１２０が設けられている。リード１２０は、図５に示すように、ケース本体１１０を鞄やポシェットなどのバッグＢやフック類に吊り下げるためのポリエステル製の平たい紐体である。このリード１２０は、イヌ型に成形されたケース本体１１０におけるイヌの胴部分に巻き回されるとともに、同イヌの前方にリング状に延びて形成されている。また、このリード１２０には、イヌ型に成形されたケース本体１１０におけるイヌの頭部の近傍を通る部分に接続部１２１が設けられている。接続部１２１は、リード１２０における前記リング状に形成された部分の分離または連結するための樹脂製のバックル（接合部材）である。
【００２５】
（物品収納ケース１００の作動）
次に、このように構成された物品収納ケース１００の作動について説明する。まず、物品収納ケース１００の使用者は、メガネＧの保管に際して物品収納ケース１００を用意する。次に、使用者は、折り畳んだ状態のメガネＧを物品収納ケース１００の物品収納部１１３内に収納する。具体的には、使用者は、図３に示すように、ケース本体１１０における物品収納部１１３の開口部分（イヌ型の物品収納ケース１００におけるイヌの口部分）からメガネＧを挿し入れた後、同メガネＧが物品収納部１１３内に略完全に覆われるまで挿し込む。この場合、メガネＧは、物品収納部１１３を構成する内皮材１１４がメガネＧに損傷を与えない柔軟で柔らかい素材、具体的には、超極細繊維からなる布素材で構成されているため、損傷することなく物品収納部１１３内に挿し入れられる。
【００２６】
これにより、使用者は、メガネＧが収納された物品収納ケース１００を棚や机などの適用な場所に置いておくことでメガネＧを物品収納ケース１００を介して保管することができる。一方、使用者は、メガネＧを収納した物品収納ケース１００を携帯することもできる。具体的には、使用者は、物品収納ケース１００におけるリード１２０のリング部分を把持することによりメガネＧを収納した物品収納ケース１００を携帯することができる。
【００２７】
また、使用者は、物品収納ケース１００をカバンなどに吊り下げて保管または携帯することもできる。具体的には、使用者は、リード１２０における接続部１２１を外して（図４参照）リング部分を分断した後、分断したリード１２０をバッグＢの手提げ部分Ｈを介して再度接続部１２１により接続する。これにより物品収納ケース１００は、バッグＢに取り付けられた状態となる。すなわち、物品収納ケース１００は、バッグＢに付属してバッグＢの移動とともに移動する。この場合においても、メガネＧは、物品収納部１１３を構成する内皮材１１４がメガネＧに損傷を与えない柔軟で柔らかい素材で構成されているため、損傷することなく物品収納部１１３内に収納される。
【００２８】
次に、使用者は、メガネＧを使用する際には物品収納ケース１００内からメガネＧを取り出す。具体的には、使用者は、メガネＧを把持してメガネＧを物品収納部１１３内から抜き取る。これにより、使用者は、物品収納ケース１００内からメガネＧを取り出すことができる。なお、この場合においても、使用者は、物品収納部１１３を構成する内皮材１１４がメガネＧに損傷を与えない柔軟で柔らかい素材で構成されているため、メガネＧを損傷することなく物品収納部１１３内から抜き出すことができる。また、物品収納ケース１００がバッグＢ等から吊り下げられた状態においては、使用者は物品収納ケース１００がバッグから吊り下げられたた状態であるため、素早く簡単に物品収納ケース１００内に対してメガネＧの出し入れを行なうことができる。
【００２９】
次いで、使用者は、物品収納ケース１００から取り出したメガネＧを装着して使用する。そして、使用者は、使用によりメガネＧに指紋や手垢などの汚れが付着した場合には、物品収納ケース１００を用いてメガネＧに付着した汚れを拭き取ることができる。具体的には、使用者は、図４に示すように、イヌ型に成形されたケース本体１１０におけるイヌの口部分の中に指を入れて物品収納部１１３を構成する内皮材１１４をケース本体１１０の外側に引き出す。これにより、ケース本体１１０の外側に内皮材１１４が引き出されて露出した状態となる。したがって、使用者は、ケース本体１１０の外側に引き出された内皮体１１４を用いてメガネＧに付着した指紋や手垢などの汚れを拭き取ることができる。なお、この場合においても、使用者は、物品収納部１１３を構成する内皮材１１４がメガネＧに損傷を与えない柔軟で柔らかい素材で構成されているため、メガネＧを損傷することなく綺麗に汚れを拭き取ることができる。
【００３０】
そして、メガネＧに付着した指紋や手垢などの汚れを拭き取った使用者は、ケース本体１１０の外側に引き出された内皮体１１４を再びケース本体１１０の内部に収納する。この場合、使用者は、イヌ型に成形されたケース本体１１０におけるイヌの口部分の中に指を入れて内皮材１１４をケース本体１１０の内部に押し込む。これにより、ケース本体１１０の外側に引き出された内皮材１１４が再びケース本体１１０の内部に納められた状態となる（図２参照）。
【００３１】
また、使用者は、バッグＢに取り付けた物品収納ケース１００を取り外す場合には、リード１２０における接続部１２１を外して（図４参照）リング部分を分断することによりバッグＢの手提げ部分Ｈから物品収納ケース１００を取り外すことができる。そして、使用者は、分断したリード１２０のリング部分を接続部１２１により連結することによりリード１２０を再びリング状に戻すことができる。
【００３２】
上記作動説明からも理解できるように、上記実施形態によれば、物品収納ケース１００は、メガネＧなどの物品を収納する物品収納部１１３の内皮材１１４がケース本体１１０の内側と外側とを出し入れ自在に形成されている。このため、物品収納ケース１００の使用者は、物品収納ケース１００の物品収納部１１３を構成する内皮材１１４を外側に引き出すことにより、同引き出した内皮材１１４でメガネＧに付着した汚れを拭き取ることができる。
【００３３】
さらに、本考案の実施にあたっては、上記実施形態に限定されるものではなく、本考案の目的を逸脱しない限りにおいて種々の変更が可能である。
【００３４】
例えば、上記実施形態においては、ケース本体１１０を構成する外皮材１１１は、毛皮状素材で構成されている。しかし、ケース本体１１０を構成する外皮材１１１は、ケース本体１１０が模す対象物の外観、ケース本体１１０自体の強度仕様などにより適宜選定されるものであり、必ずしも上記実施形態に限定されるものではない。例えば、外皮材１１１は、天然繊維および／または化学繊維などからなる織物、編物、フェルト、不織布などの布素材で構成することができる。また、外皮材１１１は、布素材以外の素材、例えば、革素材および樹脂素材（例えば、塩ビ製シート）で構成することもできる。これらの場合、外皮材１１１の表面に耐候性や耐水性を向上させるための加工を施したり薬剤を塗布したりすることにより外皮材１１１の耐久性を向上させることができる。
【００３５】
また、上記実施形態においては、物品収納部１１３を構成する内皮材１１４は、超極細繊維で形成された布素材で構成されている。しかし、物品収納部１１３を構成する内皮材１１４は、物品収納部１１３に収納する物品に損傷を与えない柔軟で柔らかな素材であれば、必ずしも上記実施形態に限定されるものではない。例えば、内皮材１１４は、天然繊維および／または化学繊維などからなる織物、編物、フェルト、不織布などの布素材で構成することができる。また、内皮材１１４は、布素材以外の素材、例えば、革素材および樹脂素材（例えば、塩ビシート）で構成することもできる。これらの場合、内皮材１１４は、外皮材１１１を構成する素材より柔軟で柔らかい素材で構成するとよい。また、ケース本体１１０を動物の外観を模して構成した場合、内皮材１１４をケース本体１１０が模す動物の口内を模すために適した質感および色の素材を選択するとよい。例えば、ケース本体１１０がトカゲやヘビの外観を模して成形される場合、内皮１１４をトカゲやヘビの舌を模して構成するとよい。
【００３６】
また、上記実施形態においては、物品収納ケース１００は、ケース本体１１０にリード１２０を備えて構成されている。しかし、リード１２０は、ケース本体１１０をバッグＢや引っ掛けフックなどに掛けて支持させるものである。すなわち、このリード１２０が、本考案に係る連結体に相当する。したがって、リード１２０は、ケース本体１１０を何らかの物体に支持させる必要がない場合には省略することもできる。また、リード１２０は、ケース本体１１０をバッグＢや引っ掛けフックなどに掛けることが可能な構成であれば、必ずしも紐で構成する必要はない。例えば、連結体を、リード１２０に代えてまたは加えて金属製または樹脂製のキーホルダー型に構成することもできる。また、リード１２０は、接続部１２１を省略して１本の連続した紐状に形成することもできる。
【００３７】
また、上記実施形態においては、物品収納ケース１００は、ケース本体１１０をイヌの外観に模して構成した。しかし、ケース本体１１０の外形は、使用者の好みに応じて適宜決定されるものであり、必ずしもイヌ型に成型する必要はない。すなわち、ケース本体１１０は、例えば、動物、植物、キャラクタ、建造物、構造物、美術品または食品の外形を模した形状を単体でまたはこれらを組み合わせたデザインで成形することができる。
【００３８】  この場合、動物としては、例えば、愛玩動物（イヌ、ネコ、小鳥、ねずみなど）、干支、各種野生動物（ライオン、カバ、キリン、コアラ、ラッコ、イルカ、クジラなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、植物としては、例えば、花（ヒマワリ、チューリップなど）や木（ヤシ、竹、スギなど）などが考えられる。また、キャラクタとしては、例えば、アニメ、童話、昔話などの主人公および擬人化した動植物（例えば、（公序良俗違反につき、不掲載）など）などが考えられる。また、建造物としては、例えば、橋、鉄塔（例えば、東京タワー）、ビルおよび寺社仏閣などが考えられる。また、構造物としては、車両（二輪車、四輪乗用車、各種作業車など）、列車（例えば、新幹線や蒸気機関車）、船舶および飛行機などが考えられる。また、美術品としては、仏像およびモニュメントなどが考えられる。また、食品としては、ハンバーガー、フランクフルトソーセージおよびサンドイッチなどが考えられる。
【００３９】
また、ケース本体１１０の外形に動物やキャラクタを採用した場合、物品収納部１１３の開口部分を前記動物やキャラクタの口部分に形成することができる。これにより、物品収納部１１３をケース本体１１０に対して違和感なく自然な配置で構成することができ、物品収納ケース１００のデザイン性を向上させることができる。なお、物品収納部１１３の開口部分は、ケース本体１１０の外形に動物やキャラクタを採用した場合であっても自由な位置に配置できることは当然である。
【００４０】
また、上記実施形態においては、物品収納ケース１００は、メガネＧを収納対象とした。しかし、本考案に係る物品収納ケース１００は、メガネ以外の物品、例えば、携帯電話機、デジタルカメラ、リップスティック、コンパクト、手鏡などの美容化粧用具、宝石などのジュエリー、鍵などの主として小物物品を収納するための入れ物として広く用いることができるものである。この場合、物品を収納する物品収納部１１３やケース本体１１０の形状や大きさは、収納対象となる物品の形や大きさに応じて適宜決定されるものである。
【符号の説明】
【００４１】
Ｇ…メガネ、Ｂ…バッグ、Ｈ…手提げ部分、
１００…物品収納ケース、１１０…ケース本体、１１１…外皮材、１１２…クッション材、１１３…物品収納部、１１４…内皮材、１２０…リード、１２１…接続部。
【図１】
0003164314.tif 000003
【図２】
0003164314.tif 000004
【図３】
0003164314.tif 000005
【図４】
0003164314.tif 000006
【図５】
0003164314.tif 000007
【手続補正書】
【提出日】平成22年9月22日(2010.9.22)
【手続補正１】
【補正対象書類名】実用新案登録請求の範囲
【補正対象項目名】請求項１
【補正方法】変更
【補正の内容】
【請求項１】
弾力性のあるクッション材をシート状の外皮材で包んで周囲を縫合したケース本体と、
前記ケース本体の外表面に開口して同ケース本体の内部に形成された袋状の物品収納部とを備えた物品収納ケースであって、
前記物品収納部は、
前記物品収納部の内側面を形成する内皮材が前記物品収納部に収納される物品に損傷を与えない柔らかい布素材、革素材または樹脂素材で構成され、かつ前記物品収納部における前記ケース本体の外表面に開口する部分が前記外皮材に縫合されるとともに前記ケース本体の内部に形成された前記袋状の部分が非固定状態で配置されて前記ケース本体における内側と外側とを出し入れ可能に形成されていることを特徴とする物品収納ケース。
【手続補正２】
【補正対象書類名】明細書
【補正対象項目名】０００８
【補正方法】変更
【補正の内容】
【０００８】
上記目的を達成するため、請求項１に係る本考案の特徴は、弾力性のあるクッション材をシート状の外皮材で包んで周囲を縫合したケース本体と、ケース本体の外表面に開口して同ケース本体の内部に形成された袋状の物品収納部とを備えた物品収納ケースであって、物品収納部は、物品収納部の内側面を形成する内皮材が物品収納部に収納される物品に損傷を与えない柔らかい布素材、革素材または樹脂素材で構成され、かつ物品収納部におけるケース本体の外表面に開口する部分が外皮材に縫合されるとともにケース本体の内部に形成された前記袋状の部分が非固定状態で配置されてケース本体における内側と外側とを出し入れ可能に形成されていることにある。
【手続補正３】
【補正対象書類名】明細書
【補正対象項目名】００１５
【補正方法】変更
【補正の内容】
【００１５】
このように構成した請求項４に係る本考案の他の特徴によれば、物品収納ケースを構成するケース本体は、動物、植物、キャラクタ、建造物、構造物または美術品の外観を模した形状に形成されている。この場合、動物としては、愛玩動物（イヌ、ネコ、小鳥、ねずみなど）、干支、各種野生動物（ライオン、カバ、キリン、コアラ、ラッコ、イルカ、クジラ、カメなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、植物としては、花（ヒマワリ、チューリップなど）や木（ヤシ、竹、スギなど）などが考えられる。また、キャラクタとしては、アニメ、童話、昔話などの主人公、および擬人化した動植物（例えば、擬人化したネズミなど）などが考えられる。また、建造物としては、橋、鉄塔（例えば、東京タワー（登録商標））、ビルおよび寺社仏閣などが考えられる。また、構造物としては、車両（二輪車、四輪乗用車、消防車などの各種作業車など）、列車（例えば、新幹線（登録商標）や蒸気機関車）、船舶および飛行機などが考えられる。また、美術品としては、仏像およびモニュメントなどが考えられる。また、食品としては、ハンバーガー、フランクフルトソーセージおよびサンドイッチなどが考えられる。この場合、ケース本体は、これらを単体でまたは組み合わせたデザインで構成することができる。これらにより、物品収納ケースの使用者は、物品収納ケースのデザイン性に対して高い満足感を得ることができる。
【手続補正４】
【補正対象書類名】明細書
【補正対象項目名】００３８
【補正方法】変更
【補正の内容】
【００３８】
この場合、動物としては、例えば、愛玩動物（イヌ、ネコ、小鳥、ねずみなど）、干支、各種野生動物（ライオン、カバ、キリン、コアラ、ラッコ、イルカ、クジラなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、植物としては、例えば、花（ヒマワリ、チューリップなど）や木（ヤシ、竹、スギなど）などが考えられる。また、キャラクタとしては、例えば、アニメ、童話、昔話などの主人公および擬人化した動植物（例えば、擬人化したネズミなど）などが考えられる。また、建造物としては、例えば、橋、鉄塔（例えば、東京タワー（登録商標））、ビルおよび寺社仏閣などが考えられる。また、構造物としては、車両（二輪車、四輪乗用車、各種作業車など）、列車（例えば、新幹線（登録商標）や蒸気機関車）、船舶および飛行機などが考えられる。また、美術品としては、仏像およびモニュメントなどが考えられる。また、食品としては、ハンバーガー、フランクフルトソーセージおよびサンドイッチなどが考えられる。